(57)【要約】【課題】メンテナンスが容易で、かつ電解補助剤の添加頻度が少ない電解水生成装置及びそれを備えた流し台ユニットを提供する。【解決手段】電極板を内蔵してアルカリイオン水や酸性イオン水を生成する電解槽と、電解槽で生成されたアルカリイオン水や酸性イオン水が吐水される吐水口が接続される水栓８とを有し、前記水栓８に電解補助剤投入口１５を備え、水栓８が配置された流し台１の下面の所定の場所に電解補助剤投入口１５から投入された電解補助剤を貯留する貯留部１７を設け、前記電解補助剤貯留部１７と水栓８に設けた電解補助剤投入口とを接続している原水給水路と電解補助剤が添加された原水を電解部へ供給する通水管を設けるようにした。【選択図】図２
2006247555.tif 000002
【特許請求の範囲】
【請求項１】
電極板を内蔵してアルカリイオン水や酸性イオン水を生成する電解部と、電解部で生成されたアルカリイオン水や酸性イオン水が吐水される吐水口が接続された水栓と、前記電解部を収納するとともに上面に水栓が配置された流し台とを有し、前記水栓の所定の場所に原水に添加する電解補助剤の投入部と投入口を封止する蓋を備え、前記投入部には電解部へ電解補助剤が添加された原水を供給する通水管が接続され、通水管の途中には前記電解補助剤を貯留する所定の容積をもった貯留部を設けたことを特徴とする電解水生成装置。
【請求項２】
前記通水管の投入部と貯留部の間の所定の場所に開閉弁を配置したことを特徴とする請求項１記載の電解水生成装置。
【請求項３】
前記蓋は、所定の場所に開閉弁の開閉を操作する操作部を設けたことを特徴とする請求項１または２記載の電解水生成装置。
【請求項４】
前記通水管は、投入部と貯留部の間が所定の長さと幅を持ちかつ電解補助剤と同じ形状に構成されたことを特徴とする請求項１から３のいずれか１項に記載の電解水生成装置。
【請求項５】
請求項１から４のいずれか１項に記載の電解水生成装置を備えた流し台ユニット。
【発明の詳細な説明】
【技術分野】
【０００１】
水道水や井戸水等の原水を電気分解して、アルカリイオン水や酸性イオン水を生成する、電解水生成装置及びそれを備えた流し台に関する。
【背景技術】
【０００２】
操作表示部をもつ吐水口を有する水栓を流し台の上方に設け本体を流し台の内部に収納する電解水生成装置において、電気分解の促進剤である電解補助剤を本体に添加する必要があるが、電解補助剤添加用カートリッジを前記水栓に設けて、カートリッジを水栓外から出し入れ可能にする電解水生成装置が提案されている（例えば特許文献１参照）。
【０００３】
この電解水生成装置においては、電解補助剤の補充を水栓に取り付けたカートリッジにより行うことができるので、流し台の内部に収納された電解槽生成装置本体に電解補助剤を直接補充する必要がなく、電解補助剤補充時に流し台の内側に頭や上半身を入り込ませる必要がなく、容易に補充を行うことができるようになっている。
【特許文献１】特開平１０−１１４９８２号公報
【発明の開示】
【発明が解決しようとする課題】
【０００４】
しかしながら前記従来の技術の（特許文献１）に記載の電解水生成装置では、電解促進剤である電解補助剤を収納する通水路の内壁に電解補助剤が析出し付着すると清掃することが困難になることがあった。
【０００５】
また通水路内に付着した電解補助剤を除去する手段として一般にクエン酸等の水溶液を通水し電解補助剤を溶解する方法が用いられるが、例えば電解補助剤にグリセロリン酸カルシウムを用いた場合には、析出したカルシウム塩が珪酸カルシウムとなった場合クエン酸水溶液で溶解することが困難になってしまい、やがて通水路に付着したカルシウム塩の結晶が成長し通水路を塞いでしまうことがあった。
【０００６】
よって上記の様な状態になると、電解補助剤添加部を備えた水栓すべてを交換する必要が生じることがあった。
【０００７】
さらに、電解補助剤添加部の容積を大きくすることができず、一度に多量の電解補助剤を添加することができないため、頻繁に電解補助剤を添加していた。
【０００８】
本発明はこのような従来の課題を解決するものであり、メンテナンスが容易で、かつ電解補助剤の添加頻度が少ない電解水生成装置及びそれを備えた流し台ユニットを提供することを目的とする。
【課題を解決するための手段】
【０００９】
本発明は上記目的を達成するために、電極板を内蔵してアルカリイオン水や酸性イオン水を生成する電解部と、電解部で生成されたアルカリイオン水や酸性イオン水が吐水される吐水口が接続された水栓と、前記電解部を収納するとともに上面に水栓が配置された流し台とを有し、前記水栓の所定の場所に原水に添加する電解補助剤の投入部と投入部を封止する蓋を備え、前記投入部には電解部へ電解補助剤が添加された原水を供給する通水管が接続され、通水管の途中には前記電解補助剤を貯留する所定の容積をもった貯留部を設けたことを特徴としている。
【００１０】
この構成により、電解補助剤添加部が汚染されても水栓を交換する事なく電解補助剤添加部のみをメンテナンスでき、かつ電解補助剤添加部の大きさが水栓に制限されずに電解補助剤添加部の容積を大きくできるという作用が達成できる。
【発明の効果】
【００１１】
本発明はメンテナンスが容易で、かつ電解補助剤の添加頻度が少ない電解水生成装置及びそれを備えた流し台ユニットを提供できるという効果を奏する。
【発明を実施するための最良の形態】
【００１２】
本発明の実施の形態は、電極板を内蔵してアルカリイオン水や酸性イオン水を生成する電解部と、電解部で生成されたアルカリイオン水や酸性イオン水が吐水される吐水口が接続された水栓と、電解部を収納するとともに上面に水栓が配置された流し台とを有し、水栓の所定の場所に原水に添加する電解補助剤の投入部と投入部を封止する蓋を備え、投入部には電解部へ電解補助剤が添加された原水を供給する通水管が接続され、通水管の途中には電解補助剤を貯留する所定の容積をもった貯留部を設けるようにしたものである。
【００１３】
これにより、電解補助剤添加部が汚染されても水栓を交換する事なく電解補助剤添加部のみをメンテナンスでき、かつ電解補助剤添加部の大きさが水栓に制限されずに電解補助剤添加部の容積を大きくできるため、メンテナンスが容易で、かつ電解補助剤の添加頻度が少ない電解水生成装置を提供できる。
【００１４】
また、通水管の投入部と貯留部の間の所定の場所に開閉弁を配置してもよい。
【００１５】
この場合は、蓋を取り外して電解補助剤を投入しようとする時に開閉弁をあけて貯留部に電解補助剤を送り込むことができ、通常使用時は閉じることにより、電解補助剤投入部への水の浸入を防ぐことができる。
【００１６】
また蓋は、所定の場所に開閉弁の開閉を操作する操作部を設けてもよい。
【００１７】
この場合は、蓋の開閉により電解補助剤を添加するのかどうかを自動的に判断させることができる。
【００１８】
また、通水管は、投入部と貯留部の間が所定の長さと幅を持ちかつ電解補助剤と同じ形状に構成してもよい。
【００１９】
この場合は、通水管に通常接触することがない水が付着したり、電解補助剤が一部付着しても電解補助剤を投入口から挿入し、押し込む剥離させ除去することができる。
【００２０】
そして上記電解水生成装置を流し台ユニットに組込むようにすれば、厨房での使い勝手を大いに高めることが出来る。
【実施例】
【００２１】
以下、本発明の実施例について図面を用いて説明する。
【００２２】
（実施例１）
図１の実施例１に示す電解水生成装置を備えた流し台の全体構成を示す概略図に示すように、ステンレスや人工大理石等からなる流し台１があり、その流し台１の収納部には、ＡＢＳ等のプラスチックやステンレスからなる電解水生成装置の本体２が設置されている。その本体２に原水（水道水や井戸水等）を供給する給水管３は、流し台１の収納部の後面を貫通して取りつけられている。
【００２３】
本体２の内部には水道水を供給する給水路を開閉する電磁弁４が内蔵されていて、その電磁弁４の先にはろ材５が取りつけられており、ろ材５により、原水をろ過し給水路６を通じて電極板１４を内蔵した電解槽７へ導入される。
【００２４】
流し台１の上面には水栓８が設置されていて、本体２内で電気分解された電解水（通常はアルカリイオン水）は吐水路９を通じて水栓８の吐水口１０から吐水される。
【００２５】
また本体２には排水路１１が取りつけられていて、同じく電解水（通常は酸性イオン水）が排水路１１を通じて水栓の排水口１２から吐水されている。
【００２６】
また本体２には電源コード１３が接続されていて、電気分解等に必要な電源が供給されている。
【００２７】
図２の実施例１に示す水栓部及び電解補助剤貯留部の概略図に示すように、水栓８部には電解補助剤投入口１５が設けられ、投入口には電解補助剤の通路へのゴミ等の進入を封止する蓋１６を設けている。
【００２８】
流し台１に設置された水栓８の下に電解補助剤投入口１５から投入された電解補助剤を貯留する貯留部１６を備え、電解補助剤投入口１５と貯留部１７の間には通水管１８が接続され、さらに電解補助剤投入口１５と貯留部１５とを開閉する開閉弁１９を設けている。
【００２９】
そして、水栓８には、蓋１６が電解補助剤投入口１５に取りつけられているかどうかを判断するスイッチ２０が設けられ、これにより開閉弁１９を開閉させている。
【００３０】
図３の（ａ）の実施例１に示す開閉弁が開時における水栓部に設けた電解補助剤投入部の蓋部の概略図に示すように、蓋１６を水栓８に取り付けた後、矢印側に蓋１６を回転させると図３の（ｂ）の実施例１に示す開閉弁が閉時における水栓部に設けた電解補助剤投入部の蓋部の概略図のようになり、スイッチ２０を押すことになり開閉弁１９を作動させるのである。
【００３１】
通常、電解水生成装置を使用する（蓋１６が装着されている）ときには、開閉弁１９は閉じており、電解補助剤を投入する（蓋１６を取り外している）ときには、開閉弁１９は開いている。これは、電解補助剤を貯留部１７に投入するためである。
【００３２】
また、通水管１８の蓋１６側にはパッキン２１、開閉弁１９側にはＯリング２２がそれぞれ設けられている。
【００３３】
そして図４の実施例１に示す電解補助剤投入用の通水管の概略図に示すように、通水管１８の全周には４ヵ所のリブ２３が取りつけられていて、水栓８には溝が配置されている（図示せず）。
【００３４】
以上の構成において、本実施例１における電解水生成装置の動作を図１から図５を用いて説明する。図５は実施例１に示す通水管の概略拡大図である。
【００３５】
使用者によって水栓８の操作スイッチ２６が押されると、制御部２７が電磁弁４を開放させ原水（水道水や井戸水等）が給水管から給水される。給水された原水は、ろ材５にて浄化された後、給水路６を通り貯留部１７に貯留された電解補助剤を溶かして、電解槽７へ流れ込む。電解槽７にて電気分解された電解水（通常はアルカリイオン水）は吐水路９を通じて水栓８の吐水口１０から吐水される。
【００３６】
また、吐出口１０からアルカリイオン水が吐出されている場合は、酸性イオン水が排水路１１を通じて水栓８の排水口１２から吐水されている。ここで、電気分解等に必要な電源は、電源コード１３により供給されている。
【００３７】
次に、使用者が電解補助剤を補充しようとした場合について説明する。
【００３８】
蓋１６を開けることにより、蓋１６とスイッチ２０の接触が解除され、開閉弁１９が開かれる。円筒形状等の電解補助剤を押し込み水栓８の下部に設置された電解補助剤に貯留するのである。補充が終わると蓋１６を水栓８に取り付け、所定の位置まで蓋１６を回転させることにより、スイッチ２０と再び接触しスイッチ２０が開閉弁１９を閉じさせる。
【００３９】
開閉弁１９を設けることにより、水を通水管１８まで進入させなくすることが可能となり、図５に示す水やスケール等の付着を少なくすることが可能となる。
【００４０】
また、開閉弁１９及びスイッチ２０がない場合は、電解補助剤が通水管１８から水やスケールの剥離を容易に行うことができる。
【００４１】
ここで、水栓８の下部に設置された貯留部は、１回の補充で２〜３週間使用可能となる。
【００４２】
また、電解補助剤補充時には開閉弁１９が開いているが、このときに使用者が誤って水栓８の操作スイッチ２６を押しても、通水しないように電磁弁４を閉じて給水されないように制御している。
【００４３】
次に、通水管１８について説明する。
【００４４】
通水管１８は、通常、水栓８にパッキン等で固定・シールされているため、管内へ水やスケール及び電解補助剤が付着した場合においても、洗浄や、部品の交換が可能となっている。
【００４５】
また、通水管１８の周には９０°間隔で４ヵ所のリブを設け、水栓側にはこのリブに嵌合する溝を設けているので水栓８からの取り付け取り外しが容易になっている。
【００４６】
以上のように本実施例１によれば、電解補助剤の添加を容易に行うことができ、さらに通水管１８内に残った電解補助剤を容易に洗浄することができるのでカルシウム塩等の析出を硬化を防止することができる。
【産業上の利用可能性】
【００４７】
以上のように本発明の電解水生成装置は、電解補助剤の投入部を水栓に、その投入した電解補助剤を流し台の下方に貯留部を設けたので、流し台に引出し等が設けられても非常に使い勝手が良く、メンテナンスも容易で衛生的なので、酸性水による衛生水や調理用アルカリイオン水等の機能水の生成する機能を持った流し台への応用が期待できる。
【図面の簡単な説明】
【００４８】
【図１】実施例１に示す電解水生成装置を備えた流し台の全体構成を示す概略図
【図２】実施例１に示す水栓部及び電解補助剤貯留部の概略図
【図３】（ａ）実施例１に示す開閉弁が開時における水栓部に設けた電解補助剤投入部の蓋部の概略図、（ｂ）実施例１に示す開閉弁が閉時における水栓部に設けた電解補助剤投入部の蓋部の概略図
【図４】実施例１に示す電解補助剤投入用の通水管の概略図
【図５】実施例１に示す通水管の概略拡大図
【符号の説明】
【００４９】
１    流し台
２    本体
３    給水管
４    電磁弁
５    ろ材
６    給水路
７    電解槽
８    水栓
９    吐水路
１０    吐水口
１１    排水路
１２    排水口
１３    電源コード
１４    電極板
１５    電解補助剤投入部
１６    蓋
１７    貯留部
１８    通水管
１９    開閉弁
２０    スイッチ
２１    パッキン
２２    Ｏリング
２３    リブ
２４    電解補助剤
２５    水あるいはスケール
２６    操作スイッチ
２７    制御部
【図１】
2006247555.tif 000003
【図２】
2006247555.tif 000004
【図３】
2006247555.tif 000005
【図４】
2006247555.tif 000006
【図５】
2006247555.tif 000007